(57)【要約】【課題】トリチウム増殖比を向上し、かつ耐圧性能を向上する。【解決手段】核融合装置における中空円環状の真空容器の内壁面に沿って複数並設されるブランケットモジュール１であって、円環状断面の筒形状に形成された筐体２と、筐体２の円弧状の外形に沿って取り付けられるバックプレート３と、を含み、バックプレート３が、筐体２の円弧状の外形に沿う円弧面３Ａにより筐体２を半包囲し、かつ、円弧面３Ａを真空容器の真空側に向けるように、真空容器の内壁面側に設置される。【選択図】図４
2018072233.tif 000002
【特許請求の範囲】
【請求項１】
核融合装置における中空円環状の真空容器の内壁面に沿って複数並設されるブランケットモジュールであって、
円環状断面の筒形状に形成された筐体と、
前記筐体の円弧状の外形に沿って取り付けられるバックプレートと、
を含み、前記バックプレートが、前記筐体の円弧状の外形に沿う円弧面により前記筐体を半包囲し、かつ、前記円弧面を前記真空容器の真空側に向けるように、前記真空容器の内壁面側に設置される、ブランケットモジュール。
【請求項２】
トリチウム増殖材を内装し、平板状に形成されて前記筐体の内部にて板面間および前記筐体の内面との間に一定の間隔をおいて複数平行に並設されるトリチウム増殖部と、
前記板面間および前記板面と前記筐体の内面との間に配置される中性子増倍材からなる中性子増倍部と、
をさらに含み、前記トリチウム増殖部が前記筐体の内部で前記真空容器の真空空間から内壁面側に通じるように配置される、請求項１に記載のブランケットモジュール。
【請求項３】
各前記トリチウム増殖部が前記筐体の円環状断面において、該円環状断面の直径を軸として線対称に配置される、請求項２に記載のブランケットモジュール。
【請求項４】
前記中性子増倍部は、中性子増倍材が複数の粒状に形成されて前記筐体の内部であって各前記トリチウム増殖部の外側に配置される、請求項２または３に記載のブランケットモジュール。
【請求項５】
前記中性子増倍部は、前記筐体の内形および各前記トリチウム増殖部の外形に沿うように中性子増倍材がブロック状に形成されて前記筐体の内部であって各前記トリチウム増殖部の外側に配置される、請求項２または３に記載のブランケットモジュール。
【請求項６】
前記筐体における筒形状の延在方向を前記真空容器のトロイダル方向に沿って配置する、請求項１〜５のいずれか１つに記載のブランケットモジュール。
【請求項７】
前記筐体における筒形状の延在方向を前記真空容器のポロイダル方向に沿って配置する、請求項１〜５のいずれか１つに記載のブランケットモジュール。
【請求項８】
中空円環状の真空容器の内壁面に沿って、請求項１〜７のいずれか１つに記載のブランケットモジュールが複数並設される、核融合装置。
【発明の詳細な説明】
【技術分野】
【０００１】
本発明は、核融合装置に用いられるブランケットモジュールおよび核融合装置に関する。
【背景技術】
【０００２】
核融合装置は、内部にプラズマが発生されるドーナツ型の真空容器を有し、当該真空容器の内壁面に、ブランケットモジュールが設けられている。ブランケットモジュールは、主に、プラズマから放射される中性子から燃料であるトリチウムを増殖させる機能と、真空容器の外部に中性子を漏らさない機能と、発生した熱エネルギーを発電に供する機能と、を有する。従来、ブランケットモジュールとして、例えば、特許文献１〜特許文献１０に示すものがある。
【先行技術文献】
【特許文献】
【０００３】
【特許文献１】特開２００５−１２７９６０号公報
【特許文献２】特開２００４−２３９８０７号公報
【特許文献３】特開２００１−６６３８９号公報
【特許文献４】特開２００１−４７６７号公報
【特許文献５】特開２０００−２４１５７８号公報
【特許文献６】特開平６−９４８６６号公報
【特許文献７】特開平６−１２３７８８号公報
【特許文献８】特開平５−２５６９６９号公報
【特許文献９】特開平４−１７８５９４号公報
【特許文献１０】特開平４−２５９８９１号公報
【発明の概要】
【発明が解決しようとする課題】
【０００４】
ブランケットモジュールでは、リチウム単体またはその化合物が核融合反応で発生した中性子との核反応によりトリチウムを生成する。一方、プラズマ内の核融合反応ではトリチウムが消費される。そして、生成されるトリチウムの数と消費されるトリチウムの数との比をトリチウム増殖比といい、１より大きいことが要求される。このトリチウム増殖比が大きいほど燃料として貴重なトリチウムを増殖するとともに、リチウムの核分裂反応により生成するエネルギーで多少発電に寄与する。
【０００５】
また、ブランケットモジュールでは、熱エネルギーを冷却水で取り出して発電に供すると共に温度上昇を抑制する。すなわち、冷却水を高温高圧の蒸気として排出して当該蒸気によりタービンを回して発電する。この構成において、ブランケットモジュール内に蒸気が漏れた場合、ブランケットモジュールが圧力に耐えられず破損するおそれがある。
【０００６】
本発明は上述した課題を解決するものであり、トリチウム増殖比を向上し、かつ耐圧性能を向上することのできるブランケットモジュールおよび核融合装置を提供することを目的とする。
【課題を解決するための手段】
【０００７】
上述の目的を達成するために、本発明の一態様に係るブランケットモジュールは、核融合装置における中空円環状の真空容器の内壁面に沿って複数並設されるブランケットモジュールであって、円環状断面の筒形状に形成された筐体と、前記筐体の円弧状の外形に沿って取り付けられるバックプレートと、を含み、前記バックプレートが、前記筐体の円弧状の外形に沿う円弧面により前記筐体を半包囲し、かつ、前記円弧面を前記真空容器の真空側に向けるように、前記真空容器の内壁面側に設置される。
【０００８】
このブランケットモジュールによれば、バックプレートが、筐体の円弧状の外形に沿う円弧面により筐体を半包囲し、かつ、円弧面を真空容器の真空側に向けるように、真空容器の内壁面側に設置されている。このため、筐体を通過した中性子がバックプレートにおいて筐体内のトリチウム増殖部の後部に筐体を半包囲する形状の円弧面で効率的に反射して筐体の内部に集められやすくする。この結果、中性子とリチウムとの核反応が促進されるため、トリチウム増殖比を向上することができる。しかも、このブランケットモジュールによれば、筐体が円環状断面の筒形状に形成されている。この結果、万一、筐体の内部で冷却水の蒸気が漏洩した場合であっても、その圧力に耐えて破損することがないように耐圧性能を向上することができる。従って、このブランケットモジュールによれば、トリチウム増殖比を向上し、かつ耐圧性能を向上することができる。
【０００９】
また、本発明の一態様に係るブランケットモジュールでは、トリチウム増殖材を内装し、平板状に形成されて前記筐体の内部にて板面間および前記筐体の内面との間に一定の間隔をおいて複数平行に並設されるトリチウム増殖部と、前記板面間および前記板面と前記筐体の内面との間に配置される中性子増倍材からなる中性子増倍部と、をさらに含み、前記トリチウム増殖部が前記筐体の内部で前記真空容器の真空空間から内壁面側に通じるように配置されることが好ましい。
【００１０】
このブランケットモジュールによれば、トリチウム増殖部が筐体の内部で真空容器の真空空間から内壁面側に通じるように配置され、このトリチウム増殖部における板面間および板面と筐体の内面との間に中性子増倍部を配置することで、中性子が中性子増倍部で増倍/減速されてトリチウム増殖部に照射されつつトリチウムが生成されるため、トリチウム増殖比をより向上することができる。しかも、中性子が真空容器の真空空間から内壁面側のバックプレートに遮られることなく至ることから、バックプレートにおいて筐体内のトリチウム増殖部の後部に筐体を半包囲する形状の円弧面で効率的に筐体の内部に向けて反射し易くなり、中性子とリチウムとの核反応がより促進されるため、トリチウム増殖比をより向上することができる。
【００１１】
また、本発明の一態様に係るブランケットモジュールでは、各前記トリチウム増殖部が前記筐体の円環状断面において、該円環状断面の直径を軸として線対称に配置されることが構造的には好ましい。
【００１２】
このブランケットモジュールによれば、各トリチウム増殖部が筐体の円環状断面において円環状断面の直径を軸として線対称に配置されているため、筐体の内部においてトリチウムの増殖分布を対称化することができ、トリチウムを筐体の内部においてムラ無く効率的に得ることができる。この結果、トリチウム増殖比をより向上することができる。しかも、このブランケットモジュールによれば、各トリチウム増殖部が筐体に対称に配置されているため、筐体の内部において中性子の運動エネルギー分布を対称化することができ、得られる熱エネルギーを筐体の内部において対称に得ることができ、構造的な負荷を軽減できる。この結果、熱エネルギーの回収効率を向上することができる。
【００１３】
また、本発明の一態様に係るブランケットモジュールでは、前記中性子増倍部は、中性子増倍材が複数の粒状に形成されて前記筐体の内部であって各前記トリチウム増殖部の外側に配置されることが好ましい。
【００１４】
このブランケットモジュールによれば、粒状の中性子増倍材からなる中性子増倍部を筐体の内部であって各トリチウム増殖部の外側に充填することで配置できるので筐体の組み立てを容易に行うことができる。
【００１５】
また、本発明の一態様に係るブランケットモジュールでは、前記中性子増倍部は、前記筐体の内形および各前記トリチウム増殖部の外形に沿うように中性子増倍材がブロック状に形成されて前記筐体の内部であって各前記トリチウム増殖部の外側に配置されることが好ましい。
【００１６】
このブランケットモジュールによれば、ブロック状の中性子増倍材からなる中性子増倍部を筐体の内形および各トリチウム増殖部の外形に沿うように設けることで、筐体の内部であって各トリチウム増殖部の外側において中性子増倍部を高密度で配置でき、これにより中性子の増倍率が向上して中性子とリチウムとの核反応がより促進されるため、トリチウム増殖比をより向上することができる。
【００１７】
また、本発明の一態様に係るブランケットモジュールでは、前記筐体における筒形状の延在方向を前記真空容器のトロイダル方向に沿って配置することが好ましい。
【００１８】
このブランケットモジュールによれば、トロイダル方向を含む螺旋状の磁力線に巻き付いて運動するプラズマの粒子に沿って筐体における筒形状の延在方向を合わせて配置することになるため、当該プラズマから放射される中性子を効率良く筐体内に照射させることができ、中性子とリチウムとの核反応がより促進されるため、トリチウム増殖比をより向上することができる。
【００１９】
また、本発明の一態様に係るブランケットモジュールでは、前記筐体における筒形状の延在方向を前記真空容器のポロイダル方向に沿って配置することが好ましい。
【００２０】
このブランケットモジュールによれば、ポロイダル方向を含む螺旋状の磁力線に巻き付いて運動するプラズマの粒子に沿って筐体における筒形状の延在方向を合わせて配置することになるため、当該プラズマから放射される中性子を効率良く筐体内に照射させることができ、中性子とリチウムとの核反応がより促進されるため、トリチウム増殖比をより向上することができる。
【００２１】
上述の目的を達成するために、本発明の一態様に係る核融合装置は、中空円環状の真空容器の内壁面に沿って、上述したいずれか１つのブランケットモジュールが複数並設される。
【００２２】
この核融合装置によれば、ブランケットモジュールのバックプレートが、筐体の円弧状の外形に沿う円弧面により筐体を半包囲し、かつ、円弧面を真空容器の真空側に向けるように、真空容器の内壁面側に設置されている。このため、筐体を通過した中性子がバックプレートにおいて筐体内のトリチウム増殖部の後部に筐体を半包囲する形状の円弧面で効率的に反射して筐体の内部に集められることになる。この結果、中性子とリチウムとの核反応が促進されるため、トリチウム増殖比を向上することができる。しかも、この核融合装置によれば、筐体が円環状断面の筒形状に形成されている。この結果、万一、筐体の内部で冷却水の蒸気が漏洩した場合であっても、その圧力に耐えて破損することがないように耐圧性能を向上することができる。従って、この核融合装置によれば、ブランケットモジュールによるトリチウム増殖比を向上し、かつ耐圧性能を向上することができ、発電性能および耐久性能を向上することができる。
【発明の効果】
【００２３】
本発明によれば、トリチウム増殖比を向上し、かつ耐圧性能を向上することができる。
【図面の簡単な説明】
【００２４】
【図１】図１は、本発明の実施形態に係る核融合装置の概略図である。
【図２】図２は、本発明の実施形態に係る核融合装置の真空容器の縦断面図である。
【図３】図３は、本発明の実施形態に係るブランケットモジュールの分解斜視図である。
【図４】図４は、本発明の実施形態に係るブランケットモジュールの横断面図である。
【図５】図５は、本発明の実施形態に係るブランケットモジュールの縦断面図（図４におけるＩ−Ｉ断面）である。
【図６】図６は、本発明の実施形態に係るブランケットモジュール縦断面図（図４におけるＩＩ−ＩＩ断面）である。
【発明を実施するための形態】
【００２５】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２６】
図１は、本実施形態に係る核融合装置の概略図である。図２は、本実施形態に係る核融合装置の真空容器の縦断面図である。
【００２７】
本実施例の核融合装置は、トカマク型核融合装置の例（磁場閉じ込めのトカマクのみでなくＳＴ/ＦＲＣ/ＲＦＰ等や慣性核融合などのＤＴ核融合装置への適用も含む）であり、図１に示すように、円環形状（ドーナツ形状）をなす真空容器１１が中心部に配置されている。また、核融合装置は、真空容器１１の外側に、円環形状の中央の穴を通過して廻るトロイダル方向に沿ってトロイダル磁場コイル１２が配置されている。トロイダル磁場コイル１２は、トロイダル方向に沿ってトロイダル磁場を形成する。また、核融合装置は、真空容器１１の外側に、円環形状の周方向に廻るポロイダル方向に沿ってポロイダル磁場コイル１３が配置されている。ポロイダル磁場コイル１３は、ポロイダル方向に沿ってポロイダル磁場を形成する。そして、真空容器１１内の真空空間に高温のプラズマを発生させ、このプラズマをトロイダル磁場コイル１２のトロイダル磁場およびポロイダル磁場コイル１３のポロイダル磁場の合成により螺旋状の磁力線とする。プラズマの粒子は磁力線に巻きついて運動するため、この磁力線が真空容器１１内を円環形状に周回して閉じていることで、プラズマ粒子は、真空容器１１内をいつまでも回っていて外部への漏洩が防止される。
【００２８】
また、核融合装置は、図２に示すように、真空容器１１の内壁面１１ａに沿ってブランケット１４が設置されている。ブランケット１４は、プラズマから放出される中性子が衝突することで熱エネルギーを発生させる。また、ブランケット１４は、発生させた熱エネルギーにより冷却水を加熱する。また、ブランケット１４は、真空容器１１の内壁面１１ａ側を遮蔽して真空容器１１の外部に中性子を漏らさないようにする。そして、核融合装置は、ブランケット１４で加熱された冷却水を真空容器１１の外部に取り出して得た蒸気を発電に用いる。
【００２９】
図３は、本実施形態に係るブランケットモジュールの分解斜視図である。図４は、本実施形態に係るブランケットモジュールの横断面図である。図５は、本実施形態に係るブランケットモジュールの縦断面図（図４におけるＩ−Ｉ断面）である。図６は、本実施形態に係るブランケットモジュールの縦断面図（図４におけるＩＩ−ＩＩ断面：筐体の中心線ＣＬに沿う方向の断面）である。
【００３０】
上述したブランケット１４は、図３〜図６に示すブランケットモジュール１が真空容器１１の内壁面１１ａに沿って複数並設されることで構成される。
【００３１】
ブランケットモジュール１は、筐体２と、バックプレート３とを有する。
【００３２】
筐体２は、図４に示すように、円環状断面の筒形状に形成されている。ここで、円環状断面とは、図４に示すような真円だけでなく、図には明示しないが楕円や長円や卵形のような環状断面を含む。本実施形態の筐体２は、図３〜図６に示すように、外壁部２Ａと内壁部２Ｂとで二重構造とされている。外壁部２Ａは、低放射化フェライト鋼により形成され、円環状断面の外壁本体２Ａａと、外壁本体２Ａａの延在方向の各端部を閉塞する蓋部材２Ａｂと、を含む。外壁本体２Ａａの延在方向とは、図３、図５、図６に矢印αにて示すように、円環状断面が連続する方向を意味する。内壁部２Ｂは、リチウムにより形成されて外壁部２Ａの内貼りとして機能するもので、円環状断面の内壁本体２Ｂａと、内壁本体２Ｂａの延在方向の各端部を閉塞する蓋部材２Ｂｂと、を含む。内壁本体２Ｂａの延在方向とは、図３、図５、図６に矢印αにて示すように、円環状断面が連続する方向を意味する。外壁部２Ａと内壁部２Ｂとの間は、冷却水が流通する通路２Ｃとなる隙間が形成されている。
【００３３】
筐体２の内部であって、本実施形態における内壁部２Ｂの内部には、トリチウム増殖部２Ｄと、中性子増倍部２Ｅと、が配置されている。
【００３４】
トリチウム増殖部２Ｄは、平板状に形成されたケーシング２Ｄａの中空内部に酸化リチウムのようにリチウムを含むセラミックであるトリチウム増殖材２Ｄｂが充填されて構成されている。トリチウム増殖部２Ｄは、筐体２（内壁部２Ｂ）の内部にて板面間および筐体２（内壁部２Ｂ）の内面に一定の間隔２Ｇをおいて複数並設されている。平板状のトリチウム増殖部２Ｄは、図４および図５に示すように、延在方向（矢印α）に対して連続して形成されて、延在方向（矢印α）に対して交差する方向に複数並設されている。すなわち、間隔２Ｇは、延在方向（矢印α）に対して交差する方向で平板状の複数のトリチウム増殖部２Ｄにより複数分割されつつ、延在方向（矢印α）に対して交差する方向および延在方向（矢印α）に連続して形成されている。また、図には明示しないが、間隔２Ｇに冷却水が流通する配管が設けられている。
【００３５】
なお、図には明示しないが、平板状のトリチウム増殖部２Ｄは、延在方向（矢印α）に対して交差する方向に連続して形成されて、延在方向（矢印α）に複数並設されていてもよい。この場合の間隔２Ｇは、延在方向（矢印α）で平板状の複数のトリチウム増殖部２Ｄにより複数分割されつつ、延在方向（矢印α）に対して交差する方向に連続して形成される。
【００３６】
中性子増倍部２Ｅは、ベリリウムなどの中性子増倍材により形成されている。中性子増倍部２Ｅは、中性子増倍材が図４〜図６で一部拡大するように粒状（ペブル状体）に形成され、粒状の複数の中性子増倍材が、上述した間隔２Ｇに充填されることで、各トリチウム増殖部２Ｄを筐体２（内壁部２Ｂ）の内部で支持するように筐体２（内壁部２Ｂ）の内部であって各トリチウム増殖部２Ｄの外側に配置される。また、中性子増倍部２Ｅは、中性子増倍材が筐体２（内壁部２Ｂ）の内形および各トリチウム増殖部２Ｄの外形に沿うブロック状に形成されていてもよく、各トリチウム増殖部２Ｄを筐体２（内壁部２Ｂ）の内部で支持するように筐体２（内壁部２Ｂ）の内部であって各トリチウム増殖部２Ｄの外側に配置されている。
【００３７】
バックプレート３は、真空容器１１の内壁面１１ａ側に沿って配置されて、筐体２を支持するものである。バックプレート３は、筐体２の外壁部２Ａと同様に低放射化フェライト鋼により形成されている。また、バックプレート３は、筐体２の円環形状断面がなす円弧状の外径に沿って筐体２を半包囲する円弧面３Ａを有しており、当該円弧面３Ａに沿って筐体２が取り付けられる。また、バックプレート３は、円弧面３Ａと相反する側に真空容器１１の内壁面１１ａ側に向けて取り付けられる取付面３Ｂが設けられている。従って、バックプレート３は、円弧面３Ａに筐体２を取り付けた状態で、当該円弧面３Ａを真空容器１１の内側に向けるように真空容器１１の内壁面１１ａ側に設置される。
【００３８】
このようなブランケットモジュール１は、真空容器１１の内壁面１１ａに沿って複数並設されることで真空容器１１の内壁面１１ａにブランケット１４を形成する。具体的に、ブランケットモジュール１は、筐体２の延在方向（矢印α）を真空容器１１のトロイダル方向に沿って連続して配置され、真空容器１１のポロイダル方向に並設されることでブランケット１４を形成する。また、ブランケットモジュール１は、筐体２の延在方向（矢印α）を真空容器１１のポロイダル方向に沿って連続して配置され、真空容器１１のトロイダル方向に並設されることでブランケット１４を形成する。
【００３９】
そして、図４に示すように、真空容器１１の内部において主に矢印βで示すように真空容器１１の内側から内壁面１１ａ側に向けて中性子がプラズマから放射される。ブランケットモジュール１は、この中性子が筐体２の内部に照射されリチウムとの核反応によりトリチウムを生成する。生成されたトリチウムは、プラズマ中での核融合反応に消費される。また、中性子の持つ運動エネルギーはブランケットモジュール１内で熱エネルギーとなり発電に利用される。ここで、トリチウムを生成するにあたり、中性子増倍部２Ｅにおいて中性子がリチウムと反応する前に中性子を増倍させることで、トリチウム増殖比の向上を図っている。
【００４０】
本実施形態のブランケットモジュール１は、バックプレート３が円弧面３Ａを有して当該円弧面３Ａを真空容器１１の内側に向けるように真空容器１１の内壁面１１ａ側に設置されている。このため、筐体２を通過した中性子がバックプレート３の円弧面３Ａで反射して筐体２の内部に集められることになる。この結果、中性子とリチウムとの核反応が促進されるため、トリチウム増殖比を向上することができる。しかも、本実施形態のブランケットモジュール１は、筐体２が円環状断面の筒形状に形成されている。この結果、万一、筐体２の内部で冷却水の蒸気が漏洩した場合であっても、その圧力に耐えて破損することがないように耐圧性能を向上することができる。従って、本実施形態のブランケットモジュール１によれば、トリチウム増殖比を向上し、かつ耐圧性能を向上することができる。
【００４１】
なお、筐体２の円環状断面は、上述したように楕円や長円や卵形のような環状断面を含むが、円とすることで耐圧性能が周上で均等に得られ、かつ成形性が良い点で好ましい。
【００４２】
また、本実施形態のブランケットモジュール１では、トリチウム増殖部２Ｄが平板状に形成されて筐体２の内部にて板面間および筐体２の内面に間隔２Ｇをおいて複数並設され、この間隔２Ｇをなしているトリチウム増殖部２Ｄの板面間および筐体２の内面との間に中性子増倍部２Ｅが配置されており、トリチウム増殖部２Ｄが筐体２の内部で真空容器１１内の真空空間から内壁面１１ａ側に通じるように配置されることが好ましい。
【００４３】
このブランケットモジュール１によれば、トリチウム増殖部２Ｄが筐体２の内部で真空容器１１の真空空間から内壁面１１ａ側に通じるように配置され、このトリチウム増殖部２Ｄにおける板面間および板面と筐体２の内面との間に中性子増倍部２Ｅを配置することで、中性子がトリチウム増殖部２Ｄで増倍／減速されてトリチウム増殖部２Ｄに照射されつつトリチウムが生成されるため、トリチウム増殖比をより向上することができる。しかも、中性子が真空容器１１の真空空間から内壁面１１ａ側のバックプレート３に遮られることなく至ることから、バックプレート３において筐体２内のトリチウム増殖部の後部に筐体２を半包囲する形状の円弧面３Ａで筐体２の内部に向けて反射し易くなり、中性子とリチウムとの核反応がより促進されるため、トリチウム増殖比をより向上することができる。
【００４４】
また、本実施形態のブランケットモジュール１では、図４および図５に示すように、各トリチウム増殖部２Ｄが延在方向（矢印α）に筐体中央の円環状断面と対象に配置されることが好ましい。すなわち、各トリチウム増殖部２Ｄが筐体２の円環状断面において、該円環状断面の直径（中心線ＣＬ）を軸として線対称に配置されることが好ましい。図４および図５では、筐体２の円環状断面が円であり、その中心線ＣＬを基準に各トリチウム増殖部２Ｄが形状および大きさを含み対称に配置されている。
【００４５】
このブランケットモジュール１によれば、各トリチウム増殖部２Ｄが筐体２の円環状断面において円環状断面の直径を軸として線対称に配置されているため、筐体２の内部においてトリチウムの増殖分布を対称化することができ、トリチウムを筐体２の内部においてムラ無く均等に得ることができる。この結果、トリチウム増殖比をより向上することができる。しかも、このブランケットモジュール１によれば、各トリチウム増殖部２Ｄが筐体２で対称に配置されているため、筐体２の内部において中性子の運動エネルギー分布を対称化することができ、得られる熱エネルギーを筐体２の内部においてムラ無く均等に得ることができる。この結果、熱エネルギーの回収効率を向上することができる。
【００４６】
また、本実施形態のブランケットモジュール１では、中性子増倍部２Ｅは、中性子増倍材が複数の粒状に形成されて筐体２の内部であって各トリチウム増殖部２Ｄの外側に配置されることが好ましい。
【００４７】
このブランケットモジュール１によれば、粒状の中性子増倍材からなる中性子増倍部２Ｅを筐体２の内部であって各トリチウム増殖部２Ｄの外側に充填することで配置できるので筐体２の組み立てを容易に行うことができる。
【００４８】
また、本実施形態のブランケットモジュール１では、中性子増倍部２Ｅは、筐体２の内形および各トリチウム増殖部２Ｄの外形に沿うように中性子増倍材がブロック状に形成されて筐体２の内部であって各トリチウム増殖部２Ｄの外側に配置されることが好ましい。
【００４９】
このブランケットモジュール１によれば、ブロック状の中性子増倍材からなる中性子増倍部２Ｅを筐体２の内形および各トリチウム増殖部２Ｄの外形に沿うように設けることで、筐体２の内部であって各トリチウム増殖部２Ｄの外側において中性子増倍部２Ｅを高密度で配置でき、これにより中性子の増倍率が向上して中性子とリチウムとの核反応がより促進されるため、トリチウム増殖比をより向上することができる。
【００５０】
また、本実施形態のブランケットモジュール１では、筐体２における筒形状の延在方向を真空容器１１のトロイダル方向に沿って配置することが好ましい。
【００５１】
このブランケットモジュール１によれば、トロイダル方向を含む螺旋状の磁力線に巻き付いて運動するプラズマの粒子に沿って筐体２における筒形状の延在方向を合わせて配置することになるため、当該プラズマから放射される中性子を効率良く筐体２内に照射させることができ、中性子とリチウムとの核反応がより促進されるため、トリチウム増殖比をより向上することができる。
【００５２】
また、本実施形態のブランケットモジュール１では、筐体２における筒形状の延在方向を真空容器１１のポロイダル方向に沿って配置することが好ましい。
【００５３】
このブランケットモジュール１によれば、ポロイダル方向を含む螺旋状の磁力線に巻き付いて運動するプラズマの粒子に沿って筐体２における筒形状の延在方向を合わせて配置することになるため、当該プラズマから放射される中性子を効率良く筐体２内に照射させることができ、中性子とリチウムとの核反応がより促進されるため、トリチウム増殖比をより向上することができる。
【００５４】
本実施形態の核融合装置は、中空円環状の真空容器１１の内壁面１１ａに沿って、上述したブランケットモジュール１が複数並設される。
【００５５】
この核融合装置によれば、ブランケットモジュール１のバックプレート３が円弧面３Ａを有して当該円弧面３Ａを真空容器１１の内側に向けるように真空容器１１の内壁面１１ａ側に設置されている。このため、筐体２を通過した中性子がバックプレート３の円弧面３Ａで反射して筐体２の内部に集められることになる。この結果、中性子とリチウムとの核反応が促進されるため、トリチウム増殖比を向上することができる。しかも、本実施形態の核融合装置によれば、筐体２が円環状断面の筒形状に形成されている。この結果、万一、筐体２の内部で冷却水の蒸気が漏洩した場合であっても、その圧力に耐えて破損することがないように耐圧性能を向上することができる。従って、本実施形態の核融合装置によれば、ブランケットモジュール１によるトリチウム増殖比を向上し、かつ耐圧性能を向上することができ、発電性能および耐久性能を向上することができる。
【符号の説明】
【００５６】
１  ブランケットモジュール
２  筐体
２Ａ  外壁部
２Ａａ  外壁本体
２Ａｂ  蓋部材
２Ｂ  内壁部
２Ｂａ  内壁本体
２Ｂｂ  蓋部材
２Ｃ  通路
２Ｄ  トリチウム増殖部
２Ｄａ  ケーシング
２Ｄｂ  トリチウム増殖材
２Ｅ  中性子増倍部
２Ｇ  間隔
３  バックプレート
３Ａ  円弧面
３Ｂ  取付面
１１  真空容器
１１ａ  内壁面
１２  トロイダル磁場コイル
１３  ポロイダル磁場コイル
１４  ブランケット
【図１】
2018072233.tif 000003
【図２】
2018072233.tif 000004
【図３】
2018072233.tif 000005
【図４】
2018072233.tif 000006
【図５】
2018072233.tif 000007
【図６】
2018072233.tif 000008